(57)【要約】【課題】比較的重量の重い調理機器等を希望の位置に簡単に移動でき、調理機器等の近傍に必要に応じて比較的軽量の調理器具等の載置スペースを得ることのできるスライドテーブルを提供する。【解決手段】スライドテーブル１は、調理台等３の載置板５上に設置され、調理機器等２１の台所用の載置テーブルとして使用でき、調理台等３の載置板５上に固定状態で設けられるベースガイド７と、ベースガイド７上をスライドするスライドフレーム９と、スライドフレーム９を下面に設け、スライドフレーム９と一体に摺動し得るスライド載置台１３と、スライド載置台１３に対し入れ子状に設けられ、スライド載置台１３に対して摺動自在に設けられるスライドトレイ１５とを備えている。【選択図】        図１
2006043011.tif 000002
【特許請求の範囲】
【請求項１】
調理台等の載置板上に設置され、調理機器等の載置テーブルとして使用される台所用のスライドテーブルにおいて、調理台等の載置板上に固定状態で設けられるベースガイドと、ベースガイド上をスライドするスライドフレームと、スライドフレームを下面に設け、スライドフレームと一体に摺動し得るスライド載置台と、スライド載置台に対し入れ子状に設けられ、スライド載置台に対して摺動自在に設けられるスライドトレイとを備えていることを特徴とするスライドテーブル。
【請求項２】
請求項１に記載したスライドテーブルにおいて、スライドトレイは、調理器具等を載置するトレイ本体と、トレイ本体の前面側に設けられ、スライドトレイを摺動させる際に使用する引き手部と、トレイ本体の後端寄りの部位において上方に突出するように設けられ、スライド載置台の前面の折り返し部に当接することによってトレイ本体の引出し量を設定するストッパとを有し、前記ストッパはスライド載置台の前面の折り返し部に当接しない位置に後退可能であり、スライドトレイをスライド載置台から引き抜くことができることを特徴とするスライドテーブル。
【発明の詳細な説明】
【技術分野】
【０００１】
本発明は、調理台等の載置板上に例えば電気炊飯器等の調理機器等を載置するに際し、使用時には手前側に、未使用時には奥部側に調理機器等を移動させたい場合に好適なキッチン用の小型の載置テーブルとして使用できるスライドテーブルに関するものである。
【背景技術】
【０００２】
調理台や流し台、レンジ台等に並設される載置板付きのキャビネットには、電気炊飯器、電子レンジ、オーブントースターあるいは電気湯沸し器等の比較的重量のある機器が載置されることが多い。
【０００３】
電気炊飯器のように配膳時や炊飯時には手前に出して使用し、その他の時は、邪魔にならないよう、調理台等の奥や隅に置いておきたい調理機器等にあっては、一々手で持って移動することは、かなり面倒である。
また電気炊飯器で炊いた飯を茶碗に盛る際、電気炊飯器の近くに比較的軽量のしゃもじや茶碗等を置いておけるスペースがあれば便利であるが、なかなかそのようなスペースをとることは難しく、キャスタ付きのワゴンテーブル等をこのような調理器具等の載置台として使用するに留まっていた。
【発明の開示】
【発明が解決しようとする課題】
【０００４】
本発明は、このような背景技術及び背景技術が抱えていた問題点を踏まえてなされたものであって、比較的重量の重い調理機器等を希望の位置に簡単に移動でき、調理機器等の近傍に必要に応じて比較的軽量の調理器具等の載置スペースを得ることのできる、新規かつ便利なキッチン用のスライドテーブルを提供することを課題とするものである。
【課題を解決するための手段】
【０００５】
上記課題を解決するために請求項１に記載の発明は、調理台等の載置板上に設置され、調理機器等の載置テーブルとして使用される台所用のスライドテーブルにおいて、調理台等の載置板上に固定状態で設けられるベースガイドと、ベースガイド上をスライドするスライドフレームと、スライドフレームを下面に設け、スライドフレームと一体に摺動し得るスライド載置台と、スライド載置台に対し入れ子状に設けられ、スライド載置台に対して摺動自在に設けられるスライドトレイとを備えていることを特徴とするスライドテーブルである。
【０００６】
請求項２に記載の発明は、請求項１に記載したスライドテーブルにおいて、スライドトレイは、調理器具等を載置するトレイ本体と、トレイ本体の前面側に設けられ、スライドトレイを摺動させる際に使用する引き手部と、トレイ本体の後端寄りの部位において上方に突出するように設けられ、スライド載置台の前面の折り返し部に当接することによってトレイ本体の引出し量を設定するストッパとを有し、前記ストッパはスライド載置台の前面の折り返し部に当接しない位置に後退可能であり、スライドトレイをスライド載置台から引き抜くことができることを特徴とするスライドテーブルである。
【発明の効果】
【０００７】
本発明のスライドテーブルによれば、比較的重量の重い調理機器等であっても希望の位置に簡単に移動でき、調理機器等の近傍に必要に応じて比較的軽量の調理器具等の載置スペースを作ることができ、キッチンの使い勝手が向上する。
また、ストッパはスライド載置台の前面の折り返し部に当接しない位置に後退可能であり、スライドトレイをスライド載置台から引き抜くことができる。従って、スライドトレイが汚れた場合でも、簡単に清掃すること可能である。
【発明を実施するための最良の形態】
【０００８】
以下、図示の実施例を例にとって、本発明に係るスライドテーブルを実施するための最良の形態について説明する。
本実施例では、流し台、レンジ台及び調理台等が一体に組み付けられたシステムキッチン等に設けられる調理台等３を適用対象にとって説明する。
本発明のスライドテーブル１は、図１に示すように調理台等３における載置板５上の例えば左端や右端等、調理作業の邪魔にならない位置に設けられる。
【実施例１】
【０００９】
本発明のスライドテーブル１の基本的な実施例について説明する。
スライドテーブル１は、調理台等３の載置板５上に固定状態で設けられるベースガイド７と、ベースガイド７上をスライドするスライドフレーム９と、スライドフレーム９と一体に摺動し、電気炊飯器２１等、比較的重量の重い調理機器等を載置するスライド載置台１３と、スライド載置台１３に対して入れ子状に設けられ、しゃもじ２３や茶碗２５といった比較的軽量の調理器具等を載置するスライドトレイ１５とを備えている。
【００１０】
ベースガイド７は、一例としてクロームメッキされた長寸の薄肉鋼板を偏平略凹字形断面のレール状に加工したものである。そしてベースガイド７は２本設けられており、調理台等３の載置板５、あるいは調理台等３の背面の壁面１７にビス止め等によって並設状態で固定される。
スライドフレーム９は、上記ベースガイド７の凹部に係合し、ベースガイド７に対して摺動自在に設けられる部材であり、２本設けられているスライドフレーム９もベースガイド７と同様、一例としてクロームメッキされた長寸の薄肉鋼板によって形成されており、該薄肉鋼板を偏平略門形断面のレール状に加工したものである。
ベースガイド７とスライドフレーム９との間には、スライドフレーム９の動きを円滑にするためのボールベアリング１１が必要に応じて設けられる。
【００１１】
スライド載置台１３は、底面が開放された偏平角箱状の部材であり、一例として０.５ｍｍ厚程度の薄肉鋼板を偏平略門形断面に折り曲げ、更に左右の端部を内側に折り曲げて上記スライドフレーム９の取付部１９を形成したものである。
尚、スライドフレーム９は、取付部１９に対してビス止め等によって固定される。
またスライド載置台１３の表面には載置テーブルとしての意匠性を付与するため、一例としてホワイト系の塗装が施されている。
【００１２】
スライド載置台１３における電気炊飯器２１等を載置する載置面２７には、スライド載置台１３を摺動させ、電気炊飯器２１等を出し入れする際に使用する図８に示すような指掛け部２９が設けられている。指掛け部２９はスライド載置台１３の幅寸法より多少短い寸法の縦断面が鍵穴形の棒状体であり、スライド載置台１３の幅方向へ延びるように備えられている。従って、スライド載置台１３に載せられた電気炊飯器２１等が手前方向へ移動するのを規制するストッパの役目も果たすことになる。
【００１３】
またスライド載置台１３の引出し量は、電気炊飯器２１等を載置した状態でのスライド載置台の重心が、調理台等３の載置板５上に位置する範囲内に設定されている。
スライド載置台１３の耐荷重は一例として１５ｋｇ程度あるが、電気炊飯器２１等が調理台等３における載置板５の前縁を越えて前方に張り出すと、電気炊飯器２１等の落下のおそれが生じ、不安定となるので、安全性を考慮して上記のような引出し量に設定している。
【００１４】
スライドトレイ１５は、しゃもじ２３や茶碗２５等、比較的軽量の調理器具等を載置するトレイ本体３３と、トレイ本体３３の前面側に設けられる引き手部３５とを備えている。
トレイ本体３３は、一例として０．５ｍｍ厚程度のガルバリウム鋼板によって形成されており、耐荷重は４ｋｇ程度に設定されている。
トレイ本体３３は上記スライド載置台１３に対して入れ子状に設けられており、格納状態では完全にスライド載置台１３内に収容される。また使用状態ではトレイ本体３３の後端寄りの中央に設けられているストッパ３８によって設定される所定の引出し量分、前方に引き出される。
【００１５】
図９に示すように、ストッパ３８は雄ネジ部材によって構成され、トレイ本体３３に設けられた雌ネジ部３７に着脱自在に螺着されている。ストッパ３８はトレイ本体３３の底面側から上方に突出するように取り付けられ、スライド載置台１３における前面の折返し部３９の背面に当接することでトレイ本体３３の引出し量を実質的に設定している。
またトレイ本体３３の前端寄り右隅部にはラベル４１が貼設されている。このラベル４１には、トレイ本体３３上に手を載せたり、重い物を載せると危険であることを知らせる注意書き等が記載されている。
【００１６】
引き手部３５は、一例としてＡＢＳ樹脂等の合成樹脂材料によって形成されており、一例としてミルクティー色に着色されている。
引き手部３５はトレイ本体３３とほぼ同一の幅寸法を有し、奥行寸法の短い、そして前面が曲面状に加工された略角箱状の部材である。
また引き手部３５の上面中央には比較的浅めの凹陥部４３が形成されており、引き手部３５の前面中央の下部には引き手部３５内に通ずる指掛け凹部４５が設けられている。
【００１７】
次にこのようにして構成される本発明のスライドテーブル１の作動の様子を（１）格納時、（２）引出時、（３）配膳時とに分けて説明する。
（１）格納時（図２参照）
電気炊飯器２１等を使用しない場合には、図２に示すようにスライド載置台１３を奥部側いっぱいに移動させて電気炊飯器２１等を調理台等３の隅部に位置させる。またスライドトレイ１５も使用しないのでスライド載置台１３内に完全に収容した状態としておく。
従って調理台等３の載置板５上の有効使用スペースが広くとれ、外観も整頓されて美しくなる。
【００１８】
（２）引出時（図６参照）
電気炊飯器２１等を使用する場合には、指掛け部２９に指を掛け、スライド載置台１３を図６に示すように手前に引き出す。この際、スライド載置台１３の引出し量は上述のようにスライド載置台１３の重心が調理台等３の載置板５の前縁から張り出さないように設定されているから、電気炊飯器２１等の落下の心配をすることなく、背の低いお年寄りや子供等であっても安心して、容易に電気炊飯器２１等を使用できるようになる。
尚、電気炊飯器２１により炊飯するときには、スライド載置台１３を図６に示すように手前に引き出した状態とする。このようにすれば、電気炊飯器２１の上方に張り出し部がある場合でも、この張り出し部に湯気が当たって水滴となり、落下して載置板５等にシミをつくったり、不衛生になったりするのを防止することができる。
【００１９】
（３）配膳時（図７参照）
電気炊飯器２１内の飯が炊き上がり、炊き上がった飯を茶碗２５に盛る配膳作業を行う場合には、引き手部３５における凹陥部４３と指掛け凹部４５に指を掛け手前にスライドトレイ１５を引き出す。
この際、スライドトレイ１５の引出し量はストッパ３８によって設定されているから、スライドトレイ１５がスライド載置台１３から抜け出るおそれはなく、安心してスライドトレイ１５を引き出すことができる。
これによりスライドトレイ１５上に茶碗２５を載置することが可能となり、しゃもじ２３を使用して飯を盛る作業が容易になる。
【００２０】
なお、ストッパ３８を回して後退させ、先端部が雌ネジ部３７から突出しない状態にするとストッパ３８が折り返し部３９に当接せず、図１０に示すようにスライドトレイ１５を引き抜くことができ、スライド載置台１３から外すことが可能となる。従って、スライドトレイ１５に汚れが付着しても、容易に清掃することができる。
【００２１】
以上、本発明を実施するための最良の形態、その具体的実施例について詳述してきたが、具体的な構成はこれらの形態や実施例に限られるものではなく、本発明の要旨を逸脱しない範囲内における設計の変更などがあっても本発明に含まれる。
例えば、上記実施例では、調理機器等の一例として電気炊飯器２１、調理器具等の一例としてしゃもじ２３と茶碗２５を使用したが、これらに限らず種々の機器ないし器具が使用できる。具体的には、調理機器等としてオーブントースターを使用すれば、調理器具等として焼き上がったパンを載せる皿、バターナイフあるいはバターケース等が使用できる。
【００２２】
またスライド載置台１３上に別途回転テーブル等を設け、電気炊飯器２１等の向きを簡単に変更できるようにしたり、スライド載置台１３の載置面２７上に滑り止め用のシート等を貼設することも可能である。この他、本発明のスライドテーブル１を調理台等３に組み込んで、調理台等３の一部として使用することも可能である。
【図面の簡単な説明】
【００２３】
【図１】本発明に係るスライドテーブルの使用状態を示す斜視図である。
【図２】スライドテーブルを格納した状態の平面図である。
【図３】スライドテーブルを格納した状態の底面図である。
【図４】スライドテーブルを格納した状態の側面図である。
【図５】スライドテーブルを格納した状態の正面図である。
【図６】スライド載置台を引き出した状態のスライドテーブルを示す平面図である。
【図７】スライド載置台とスライドトレイを引き出した状態のスライドテーブルを示す平面図である。
【図８】指掛け部周辺を拡大して示す斜視図である。
【図９】ストッパ周辺を拡大して示す斜視図である。
【図１０】スライドトレイをスライド載置台から引き抜いた状態を示す斜視図である。
【符号の説明】
【００２４】
１  スライドテーブル      ３  調理台等      ５  載置板
７  ベースガイド      ９  スライドフレーム      １１  ボールベアリング
１３  スライド載置台      １５  スライドトレイ      １７  壁面
１９  取付部      ２１  電気炊飯器（調理機器等）
２３  しゃもじ（調理器具等）      ２５  茶碗（調理器具等）
２７  載置面      ２９  指掛け部        ３３  トレイ本体
３５  引き手部      ３７  雌ネジ部        ３８  ストッパ
３９  折返し部      ４１  ラベル      ４３  凹陥部      ４５  指掛け凹部
【図１】
2006043011.tif 000003
【図２】
2006043011.tif 000004
【図３】
2006043011.tif 000005
【図４】
2006043011.tif 000006
【図５】
2006043011.tif 000007
【図６】
2006043011.tif 000008
【図７】
2006043011.tif 000009
【図８】
2006043011.tif 000010
【図９】
2006043011.tif 000011
【図１０】
2006043011.tif 000012